(57)【要約】【課題】利用者によって入力された地点の名称の読みに応じて、適切な案内を行うことができる、ナビゲーション装置、ナビゲーション方法、及びナビゲーションプログラムを提供すること。【解決手段】ナビゲーション装置１は、地点の名称の読みの入力を受け付ける入力部１０と、地点の名称の正しい読み及び誤った読みと、当該地点に関する案内を行う際の設定を特定する案内設定情報とを、相互に関連付けて格納する案内設定ＤＢ６２と、入力部１０により受け付けられた読みに対応する案内設定情報を案内設定ＤＢ６２から取得し、当該取得した案内設定情報により特定される設定に基づき、入力部１０により受け付けられた読みに対応する地点に関する案内を行うための制御をする案内制御部５１とを備える。【選択図】図１
2012122853.tif 000002
【特許請求の範囲】
【請求項１】
地点の名称の読みの入力を受け付ける入力手段と、
地点の名称の正しい読み及び誤った読みと、当該地点に関する案内を行う際の設定を特定する案内設定情報とを、相互に関連付けて格納する案内設定情報格納手段と、
前記入力手段により受け付けられた読みに対応する前記案内設定情報を前記案内設定情報格納手段から取得し、当該取得した案内設定情報により特定される設定に基づき、当該入力手段により受け付けられた読みに対応する地点に関する案内を行うための制御をする案内制御手段と、
を備えるナビゲーション装置。
【請求項２】
前記案内設定情報格納手段は、前記地点の名称の読みに関する誤り度合と、当該地点及びその周辺地域に関する利用者の知識の水準に応じた前記設定を特定する前記案内設定情報とを、前記誤った読みの誤り度合が高いほど、当該誤った読みに対応する前記案内設定情報により特定される前記設定に対応する前記知識の水準が低くなるように、相互に関連付けて格納する、
請求項１に記載のナビゲーション装置。
【請求項３】
前記案内設定情報は、当該案内設定情報により特定される設定の適用範囲の大きさを特定する適用範囲情報を含み、
前記案内設定情報格納手段は、前記地点の名称の読みに関する誤り度合と、前記大きさを特定する前記適用範囲情報とを、前記誤った読みの誤り度合が高いほど、当該誤った読みに対応する前記適用範囲情報により特定される前記大きさが大きくなるように、相互に関連付けて格納する、
請求項２に記載のナビゲーション装置。
【請求項４】
前記案内設定情報は、前記地点に関する案内に含まれる情報の詳細度を特定する詳細度情報を含み、
前記案内設定情報格納手段は、前記地点の名称の読みに関する誤り度合と、前記詳細度を特定する前記詳細度情報とを、前記誤った読みの誤り度合が高いほど、当該誤った読みに対応する前記詳細度情報により特定される前記詳細度が高くなるように、相互に関連付けて格納する、
請求項２又は３に記載のナビゲーション装置。
【請求項５】
前記案内設定情報は、前記地点までの経路案内における当該地点までの予想所要時間の補正の程度を特定する補正情報を含み、
前記案内設定情報格納手段は、前記地点の名称の読みに関する誤り度合と、前記補正の程度を特定する前記補正情報とを、前記誤った読みの誤り度合が高いほど、当該誤った読みに対応する前記補正情報により特定される前記補正の程度が前記予想所要時間を長くする方向に大きくなるように、相互に関連付けて格納する、
請求項２から４のいずれか一項に記載のナビゲーション装置。
【請求項６】
地点の名称の読みの入力を受け付ける入力ステップと、
地点の名称の正しい読み及び誤った読みと、当該地点に関する案内を行う際の設定を特定する案内設定情報とを、相互に関連付けて記憶手段に格納する案内設定情報格納ステップと、
前記入力ステップで受け付けられた読みに対応する前記案内設定情報を前記記憶手段から取得し、当該取得した案内設定情報により特定される設定に基づき、当該入力ステップで受け付けられた読みに対応する地点に関する案内を行うための制御をする案内制御ステップと、
を含むナビゲーション方法。
【請求項７】
請求項６に記載の方法をコンピュータに実行させるナビゲーションプログラム。
【発明の詳細な説明】
【技術分野】
【０００１】
本発明は、ナビゲーション装置、ナビゲーション方法、及びナビゲーションプログラムに関する。
【背景技術】
【０００２】
従来、車両の走行経路を案内するナビゲーション装置が用いられている。このナビゲーション装置は、例えば利用者により入力手段を介して地名が入力されると、当該入力された地名に対応する地点を目的地として走行経路の探索を行う。
【０００３】
ところで、地名を表す漢字列の読みが複数ある場合や、地名を表すアルファベット列の読みが複数ある場合に、利用者がその地名を仮名文字列で入力しようとして、誤った読みの仮名文字列を入力してしまう可能性があった。例えば、漢字で「白金」と表される地名の正しい読みが「しろかね」であるのに対して、誤った読みである「しろがね」と利用者が入力してしまう可能性があった。これに対して、利用者が誤った読みで地名を入力した場合であっても、利用者が意図する地名として認識可能な音声認識装置が提案されている。この音声認識装置では、音声入力部を介して入力された音声波形を解析して仮名文字列データに変換し、その仮名文字列データを、認識辞書部に記憶されている辞書データと照合する。その結果、一致度合の高いデータがあればその仮名文字列データを認識結果とし、一致度合の高いデータがなければ、仮名文字列データを漢字文字列データに変換し、その漢字文字列データを、認識辞書部に記憶されている辞書データと照合する。その結果、一致度合の高いデータがあればその漢字文字列データを認識結果とする（例えば、特許文献１参照）。
【先行技術文献】
【特許文献】
【０００４】
【特許文献１】特開平１１−２８２４９１号公報
【発明の概要】
【発明が解決しようとする課題】
【０００５】
ところで、誤った読みで地点の名称を入力した利用者は、当該地点自体や当該地点の周辺地域に関する十分な知識（いわゆる「土地勘」）を有していない可能性がある。しかしながら、上述の如き従来の装置は、利用者が誤った読みで地点の名称を入力した場合に、その利用者が意図する地点の正しい名称を自動的に認識して、その地点に関する案内を行うものに過ぎなかった。従って、利用者が誤った読みで地点の名称を入力した場合には、当該利用者が当該地点に関するいわゆる土地勘を有していない可能性があるにも関わらず、そのことを考慮した適切な案内を行うことができなかった。すなわち従来の装置では、利用者によって入力された読みが正しいか否かに関わらず、その読みに対応する地点に関する画一的な案内を行うに過ぎないため、例えば、その地点に関する土地勘のない利用者にとっては案内に含まれる情報の内容が不十分であったり、その地点に関する土地勘のある利用者にとっては案内に含まれる情報の内容が過剰であったりする可能性があった。
【０００６】
本発明は、上記に鑑みてなされたものであって、利用者によって入力された地点の名称の読みに応じて、適切な案内を行うことができる、ナビゲーション装置、ナビゲーション方法、及びナビゲーションプログラムを提供することを目的とする。
【課題を解決するための手段】
【０００７】
上述した課題を解決し、目的を達成するために、請求項１に記載のナビゲーション装置は、地点の名称の読みの入力を受け付ける入力手段と、地点の名称の正しい読み及び誤った読みと、当該地点に関する案内を行う際の設定を特定する案内設定情報とを、相互に関連付けて格納する案内設定情報格納手段と、前記入力手段により受け付けられた読みに対応する前記案内設定情報を前記案内設定情報格納手段から取得し、当該取得した案内設定情報により特定される設定に基づき、当該入力手段により受け付けられた読みに対応する地点に関する案内を行うための制御をする案内制御手段と、を備える。
【０００８】
また、請求項２に記載のナビゲーション装置は、請求項１に記載のナビゲーション装置において、前記案内設定情報格納手段は、前記地点の名称の読みに関する誤り度合と、当該地点及びその周辺地域に関する利用者の知識の水準に応じた前記設定を特定する前記案内設定情報とを、前記誤った読みの誤り度合が高いほど、当該誤った読みに対応する前記案内設定情報により特定される前記設定に対応する前記知識の水準が低くなるように、相互に関連付けて格納する。
【０００９】
また、請求項３に記載のナビゲーション装置は、請求項２に記載のナビゲーション装置において、前記案内設定情報は、当該案内設定情報により特定される設定の適用範囲の大きさを特定する適用範囲情報を含み、前記案内設定情報格納手段は、前記地点の名称の読みに関する誤り度合と、前記大きさを特定する前記適用範囲情報とを、前記誤った読みの誤り度合が高いほど、当該誤った読みに対応する前記適用範囲情報により特定される前記大きさが大きくなるように、相互に関連付けて格納する。
【００１０】
また、請求項４に記載のナビゲーション装置は、請求項２又は３に記載のナビゲーション装置において、前記案内設定情報は、前記地点に関する案内に含まれる情報の詳細度を特定する詳細度情報を含み、前記案内設定情報格納手段は、前記地点の名称の読みに関する誤り度合と、前記詳細度を特定する前記詳細度情報とを、前記誤った読みの誤り度合が高いほど、当該誤った読みに対応する前記詳細度情報により特定される前記詳細度が高くなるように、相互に関連付けて格納する。
【００１１】
また、請求項５に記載のナビゲーション装置は、請求項２から４のいずれか一項に記載のナビゲーション装置において、前記案内設定情報は、前記地点までの経路案内における当該地点までの予想所要時間の補正の程度を特定する補正情報を含み、前記案内設定情報格納手段は、前記地点の名称の読みに関する誤り度合と、前記補正の程度を特定する前記補正情報とを、前記誤った読みの誤り度合が高いほど、当該誤った読みに対応する前記補正情報により特定される前記補正の程度が前記予想所要時間を長くする方向に大きくなるように、相互に関連付けて格納する。
【００１２】
また、請求項６に記載のナビゲーション方法は、地点の名称の読みの入力を受け付ける入力ステップと、地点の名称の正しい読み及び誤った読みと、当該地点に関する案内を行う際の設定を特定する案内設定情報とを、相互に関連付けて記憶手段に格納する案内設定情報格納ステップと、前記入力ステップで受け付けられた読みに対応する前記案内設定情報を前記記憶手段から取得し、当該取得した案内設定情報により特定される設定に基づき、当該入力ステップで受け付けられた読みに対応する地点に関する案内を行うための制御をする案内制御ステップと、を含む。
【００１３】
また、請求項７に記載のナビゲーションプログラムは、請求項６に記載の方法をコンピュータに実行させる。
【発明の効果】
【００１４】
請求項１に記載のナビゲーション装置、請求項６に記載のナビゲーション方法、及び請求項７に記載のナビゲーションプログラムによれば、案内制御手段は、入力手段により受け付けられた読みに対応する案内設定情報を案内設定情報格納手段から取得し、当該取得した案内設定情報により特定される設定に基づき、当該入力手段により受け付けられた読みに対応する地点に関する案内を行うための制御をするので、利用者によって入力された地点の名称の読みに応じて、その地点に関する利用者の土地勘に応じた適切な案内を行うことができる。
【００１５】
また、請求項２に記載のナビゲーション装置によれば、案内設定情報格納手段は、地点の名称の読みに関する誤り度合と、当該地点及びその周辺地域に関する利用者の知識の水準に応じた設定を特定する案内設定情報とを、誤った読みの誤り度合が高いほど、当該誤った読みに対応する案内設定情報により特定される設定に対応する知識の水準が低くなるように、相互に関連付けて格納するので、入力手段により受け付けられた読みの誤り度合に応じて、その読みに対応する地点及びその周辺地域に関する利用者の知識の水準に合わせた案内を行うことができる。すなわち、地点の名称の読みの誤り度合が高いほど当該地点及びその周辺地域に関する利用者の知識水準が低いと考えられることから、地点の名称の読みの誤り度合が高い程一層内容の充実した案内を行うことで、当該地点及びその周辺地域に関する利用者の知識水準に応じた十分な内容の案内を行うことができる。
【００１６】
また、請求項３に記載のナビゲーション装置によれば、案内設定情報格納手段は、地点の名称の読みに関する誤り度合と、案内設定情報により特定される設定の適用範囲の大きさを特定する適用範囲情報とを、誤った読みの誤り度合が高いほど、当該誤った読みに対応する適用範囲情報により特定される適用範囲の大きさが大きくなるように、相互に関連付けて格納するので、入力手段により受け付けられた読みの誤り度合に応じて、その読みに対応する地点及びその周辺地域に関する利用者の知識の水準に合わせた範囲に案内設定を適用することができる。すなわち、地点の名称の読みの誤り度合が高いほど当該地点及びその周辺地域に関する利用者の知識水準が低いと考えられることから、地点の名称の読みの誤り度合が高い程当該地点に関する案内設定の適用範囲を大きさを大きくすることで、当該地点及びその周辺地域に関する利用者の知識水準に応じた十分な大きさの範囲で案内を行うことができる。
【００１７】
また、請求項４に記載のナビゲーション装置によれば、案内設定情報格納手段は、地点の名称の読みに関する誤り度合と、地点に関する案内に含まれる情報の詳細度を特定する詳細度情報とを、誤った読みの誤り度合が高いほど、当該誤った読みに対応する詳細度情報により特定される詳細度が高くなるように、相互に関連付けて格納するので、入力手段により受け付けられた読みの誤り度合に応じて、その読みに対応する地点及びその周辺地域に関する利用者の知識の水準に合わせた詳細度の情報を含む案内を行うことができる。すなわち、地点の名称の読みの誤り度合が高いほど当該地点及びその周辺地域に関する利用者の知識水準が低いと考えられることから、地点の名称の読みの誤り度合が高い程当該地点に関する案内に含まれる情報の詳細度を高くすることで、当該地点及びその周辺地域に関する利用者の知識水準に応じた十分な詳細度の案内を行うことができる。
【００１８】
また、請求項５に記載のナビゲーション装置によれば、案内設定情報格納手段は、地点の名称の読みに関する誤り度合と、当該地点までの経路案内における当該地点までの予想所要時間の補正の程度を特定する補正情報とを、誤った読みの誤り度合が高いほど、当該誤った読みに対応する補正情報により特定される補正の程度が予想所要時間を長くする方向に大きくなるように、相互に関連付けて格納するので、入力手段により受け付けられた読みの誤り度合に応じて、その読みに対応する地点及びその周辺地域に関する利用者の知識の水準に合わせた程度の補正を行うことができる。すなわち、地点の名称の読みの誤り度合が高いほど当該地点及びその周辺地域に関する利用者の知識水準が低いと考えられることから、地点の名称の読みの誤り度合が高い程当該地点までの予想所要時間を長くする方向に補正の程度を大きくすることで、当該地点及びその周辺地域に関する知識が不足しているために運転が慎重となる利用者に対しても、その利用者の知識水準に応じた適切な予想所要時間を案内することができる。
【図面の簡単な説明】
【００１９】
【図１】実施の形態に係るナビゲーション装置を例示するブロック図である。
【図２】案内設定ＤＢに格納されている情報を例示した表である。
【図３】案内制御処理の概要を示すフローチャートである。
【図４】案内制御処理の具体例を示すフローチャートである。
【図５】案内を表示するディスプレイを例示した図であり、図５（ａ）は入力部を介して入力された読みに対応する地点に関する案内を行わない場合を示した図、図５（ｂ）は入力部を介して入力された読みに対応する地点に関する簡易情報を含む案内を行う場合を示した図、図５（ｃ）は入力部を介して入力された読みに対応する地点に関する詳細情報を含む案内を行う場合を示した図である。
【図６】案内を表示するディスプレイを例示した図であり、図６（ａ）は通常の平均車速に基づき算出した予想所要時間を案内する場合を示した図、図６（ｂ）は予想所要時間を長くする方向に補正して案内する場合を示した図、図６（ｃ）は予想所要時間を図６（ｂ）の場合よりも更に長くする方向に補正して案内する場合を示した図である。
【発明を実施するための形態】
【００２０】
以下、本発明に係るナビゲーション装置、ナビゲーション方法、及びナビゲーションプログラムの実施の形態について図面を参照しつつ詳細に説明する。ただし、この実施の形態によって本発明が限定されるものではない。なお、以下の説明ではナビゲーション装置が車両に搭載されている場合を例として説明する。
【００２１】
（構成）
最初に、実施の形態に係るナビゲーション装置の構成について説明する。図１は、本実施の形態に係るナビゲーション装置を例示するブロック図である。図１に示すように、ナビゲーション装置１は、入力部１０、現在位置検出処理部２０、ディスプレイ３０、スピーカ４０、制御部５０、及びデータ記録部６０を備えている。
【００２２】
（構成−入力部）
入力部１０は、地点の名称の読みを含む各種情報の入力を受け付ける入力手段である。ここで「地点の名称」には、例えば地図上の任意の地点の名称（例えば市区町村の名称、字名、山名や湖名等の地理的名称等）や、施設の名称等が含まれる。また、「地点の名称」には、例えば漢字で表記された地点の名称や（例えば市区町村の名称等）、アルファベットで表記された地点の名称（例えば「ＡＡＡストアー」のようにアルファベットを含む施設名等）が含まれるものとする。入力部１０の具体的な構成は任意で、例えば、ディスプレイ３０の前面に設けたタッチパネル、押しボタン、リモートコントローラの如き遠隔操作手段、あるいは、音声入力を受け付けるマイクの如き音声認識手段を用いて入力部１０を構成することができる。
【００２３】
（構成−現在位置検出処理部）
現在位置検出処理部２０は、ナビゲーション装置１が取り付けられた車両の現在位置を検出する現在位置検出手段である。具体的には、現在位置検出処理部２０は、ＧＰＳ、地磁気センサ、距離センサ、又はジャイロセンサ（いずれも図示省略）の少なくとも一つを有し、現在の車両の位置（座標）及び方位等を公知の方法にて検出する。
【００２４】
（構成−ディスプレイ）
ディスプレイ３０は、制御部５０の制御に基づいて各種情報を表示する表示手段である。なお、このディスプレイ３０の具体的な構成は任意であり、公知の液晶ディスプレイや有機ＥＬディスプレイの如きフラットパネルディスプレイを使用することができる。
【００２５】
（構成−スピーカ）
スピーカ４０は、制御部５０の制御に基づいて各種の音声を出力する音声出力手段である。スピーカ４０より出力される音声の具体的な態様は任意であり、必要に応じて生成された合成音声や、予め録音された音声を出力することができる。
【００２６】
（構成−制御部）
制御部５０は、ナビゲーション装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係るナビゲーションプログラムは、任意の記録媒体又はネットワークを介してナビゲーション装置１にインストールされることで、制御部５０の各部を実質的に構成する。
【００２７】
この制御部５０は、機能概念的に、案内制御部５１を備えている。案内制御部５１は、地点に関する案内を所定の設定に基づいて行うための制御をする案内制御手段である。ここで、「地点に関する案内」には、例えばその地点自体についての案内（例えばその地点の位置情報や観光案内等）の他、その地点の周辺施設情報、その地点までの経路案内、その地点までの予想所要時間、その地点への到着予想時刻等、各種の案内が含まれる。この制御部５０によって実行される処理の詳細については後述する。
【００２８】
（構成−データ記録部）
データ記録部６０は、ナビゲーション装置１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２９】
このデータ記録部６０は、地図情報データベース６１（以下、データベースをＤＢと略記する）、及び案内設定ＤＢ６２を備えている。
【００３０】
地図情報ＤＢ６１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、施設データ（各施設の位置、各施設の種別、各施設に関する案内情報等）、地名データ（都道府県や市区町村等の地名、各地名に対応する位置、各地名に関する案内情報等）、地形データ、地図をディスプレイ３０に表示するための地図表示データ等を含んで構成されている。
【００３１】
案内設定ＤＢ６２は、地点の名称の正しい読み及び誤った読みと、当該地点に関する案内を行う際の設定を特定する案内設定情報とを、相互に関連付けて格納する案内設定情報格納手段である。図２は、案内設定ＤＢ６２に格納されている情報を例示した表である。図２に示すように、案内設定ＤＢ６２には、項目「地点の名称」、「案内設定」、「正しい読み」、及び「誤った読み」に対応する情報が相互に関連付けて格納されている。さらに案内設定ＤＢ６２には、地点に関する案内を行う際の設定を特定する案内設定情報が格納されている。項目「地点の名称」に対応して格納される情報は、地点の名称を特定する情報である（図２では「東海町（宮崎）」「弟子屈（北海道）」等）。項目「案内設定」に対応して格納される情報は、地点に関する案内を行う際の設定の項目を特定する情報である（図２では「設定の適用範囲」「予想所要時間の補正の程度」等）。項目「正しい読み」に対応して格納される情報は、項目「地点の名称」に対応して格納されている情報に基づき特定される各地点の名称の正しい読みを特定する情報である（図２では「東海町（宮崎）」について「とうみまち」等）。項目「誤った読み」に対応して格納される情報は、項目「地点の名称」に対応して格納されている情報に基づき特定される各地点の名称の誤った読みを特定する情報であり、各読みの誤り度合に対応付けて格納される（図２では「東海町（宮崎）」について、「誤り度合１」の誤った読みが「とうみちょう」、及び「誤り度合１」よりも誤り度合が高いことを示す「誤り度合２」の誤った読みが「とうかいちょう」等）。
【００３２】
また、地点に関する案内を行う際の設定を特定する案内設定情報が、項目「案内設定」に対応して格納されている情報に基づき特定される案内設定の項目毎に、項目「正しい読み」及び「誤った読み」に対応して格納されている。この案内設定情報は、案内設定情報により特定される設定の適用範囲の大きさを特定する適用範囲情報、地点までの経路案内における当該地点までの予想所要時間の補正の程度を特定する補正情報、及び地点に関する案内に含まれる情報の詳細度を特定する詳細度情報を含む。この内、案内設定の項目「設定の適用範囲」について項目「正しい読み」及び「誤った読み」に対応して格納される情報は、適用範囲情報である（図２では、項目「正しい読み」に対応して「適用なし」、項目「誤った読み」のうち「誤り度合１」に対応して「地点が属する市区町村」、「誤り度合２」に対応して「地点が属する都道府県」）。また、案内設定の項目「予想所要時間の補正の程度」について項目「正しい読み」及び「誤った読み」に対応して格納される情報は、補正情報である（図２では、項目「正しい読み」に対応して「補正なし」、項目「誤った読み」のうち「誤り度合１」に対応して「通常平均車速−５ｋｍ／ｈ」、「誤り度合２」に対応して「通常平均車速−１０ｋｍ／ｈ」）。また、案内設定の項目「詳細度」について項目「正しい読み」及び「誤った読み」に対応して格納される情報は、詳細度情報である（図２では、項目「正しい読み」に対応して「地点案内なし」、項目「誤った読み」のうち「誤り度合１」に対応して「簡易情報案内」、「誤り度合２」に対応して「詳細情報案内」）。
【００３３】
（処理−案内制御処理）
次に、このように構成されたナビゲーション装置１によって実行される案内制御処理について説明する。図３は、案内制御処理の概要を示したフローチャートである（以下の各処理の説明ではステップを「Ｓ」と略記する）。この案内制御処理は、例えば、ナビゲーション装置１に電源が投入され、地点の名称の読みの入力画面を表示すべき旨の指示入力が入力部１０を介して行われた場合に起動される。
【００３４】
図３に示すように、案内制御処理が開始されると、案内制御部５１は、入力部１０により地点の名称の読みの入力が受け付けられるまで待機する（ＳＡ１、Ｎｏ）。
【００３５】
入力部１０により地点の名称の読みの入力が受け付けられた場合（ＳＡ１、Ｙｅｓ）、案内制御部５１は案内設定ＤＢ６２を参照し、入力部１０を介して入力された読みに一致する読みを検索する（ＳＡ２）。すなわち、案内制御部５１は、案内設定ＤＢ６２の項目「正しい読み」及び「誤った読み」に対応して格納されている情報に基づき特定される読みの内、入力部１０を介して入力された読みに一致する読みを検索する。
【００３６】
続いて案内制御部５１は、ＳＡ２の検索の結果、入力部１０を介して入力された読みに一致する読みがあったか否かを判定する（ＳＡ３）。その結果、入力部１０を介して入力された読みに一致する読みがなかった場合（ＳＡ３、Ｎｏ）、すなわち案内設定ＤＢ６２の項目「正しい読み」及び「誤った読み」に対応して格納されている情報に基づき特定される読みの中には入力部１０を介して入力された読みに一致する読みがなかった場合、案内制御部５１はＳＡ１に戻り、入力部１０により地点の名称の読みの入力が受け付けられるまで待機する（ＳＡ１、Ｎｏ）。
【００３７】
一方、入力部１０を介して入力された読みに一致する読みがあった場合（ＳＡ３、Ｙｅｓ）、すなわち案内設定ＤＢ６２の項目「正しい読み」及び「誤った読み」に対応して格納されている情報に基づき特定される読みの中に、入力部１０により受け付けられた読みに一致する読みがあった場合、案内制御部５１は、入力部１０により受け付けられた読みに対応する案内設定情報を案内設定ＤＢ６２から取得する（ＳＡ４）。そして案内制御部は、案内設定ＤＢ６２から取得した案内設定情報により特定される設定に基づき、入力部１０により受け付けられた読みに対応する地点に関する案内を行うための制御をする（ＳＡ５）。ＳＡ５の処理の後、制御部は案内制御処理を終了する。
【００３８】
続いて、図３に示した案内制御処理の具体例について詳細に説明する。図４は案内制御処理の具体例を示したフローチャートである。図４に示すように、案内制御処理が開始されると、案内制御部５１は、入力部１０により地点の名称の読みの入力が受け付けられるまで待機する（ＳＢ１、Ｎｏ）。例えば、５０音入力画面がディスプレイ３０により表示されている場合において、タッチパネルを介して任意の仮名文字列が入力され、当該入力の確定操作が行われた場合に、案内制御部５１は入力部１０により地点の名称の読みの入力が受け付けられたと判定する。
【００３９】
入力部１０により地点の名称の読みの入力が受け付けられた場合（ＳＢ１、Ｙｅｓ）、案内制御部５１は案内設定ＤＢ６２を参照し、入力部１０を介して入力された読みに一致する読みを検索する（ＳＢ２）。すなわち、案内制御部５１は、案内設定ＤＢ６２の項目「正しい読み」及び「誤った読み」に対応して格納されている情報に基づき特定される読みの内、入力部１０を介して入力された読みに一致する読みを検索する。
【００４０】
続いて案内制御部５１は、ＳＢ２の検索の結果、入力部１０を介して入力された読みに一致する読みがあったか否かを判定する（ＳＢ３）。その結果、入力部１０を介して入力された読みに一致する読みがなかった場合（ＳＢ３、Ｎｏ）、すなわち案内設定ＤＢ６２の項目「正しい読み」及び「誤った読み」に対応して格納されている情報に基づき特定される読みの中には入力部１０を介して入力された読みに一致する読みがなかった場合、例えば利用者の入力ミス等により地点の名称と無関係の仮名文字列が入力されたものとし、案内制御部５１はＳＢ１に戻り、入力部１０により地点の名称の読みの入力が受け付けられるまで待機する（ＳＢ１、Ｎｏ）。この場合、案内制御部５１が、入力された読みに対応する地点の名称を特定する情報が案内設定ＤＢ６２に格納されていない旨を示すエラーメッセージを、ディスプレイ３０やスピーカ４０を介して出力させるようにしてもよい。
【００４１】
一方、入力部１０を介して入力された読みに一致する読みがあった場合（ＳＢ３、Ｙｅｓ）、すなわち案内設定ＤＢ６２の項目「正しい読み」及び「誤った読み」に対応して格納されている情報に基づき特定される読みの中に、入力部１０を介して入力された読みに一致する読みがあった場合、案内制御部５１は、入力部１０を介して入力された読みが正しい読みか否か、及び、誤った読みである場合にはその誤り度合を特定する（ＳＢ４）。すなわち案内制御部５１は、入力部１０を介して入力された読みに対応する情報が、案内設定ＤＢ６２の項目「正しい読み」又は「誤った読み」の何れの項目に対応して格納されているのかを特定し、当該情報が案内設定ＤＢ６２の項目「誤った読み」に対応して格納されている場合には、当該情報に対応する誤り度合を特定する。例えば入力部１０を介して入力された読みが「せんぞうじ」であった場合、図２の例では、案内制御部５１は、当該読みは「誤った読み」であり、その誤り度合は「誤り度合１」であると特定する。
【００４２】
図４に戻り、案内制御部５１は、ＳＢ４の特定結果に対応する適用範囲情報を案内設定ＤＢ６２から取得し、当該取得した適用範囲情報に基づき、案内設定ＤＢ６２に格納されている案内設定情報により特定される設定の適用範囲の大きさを特定する（ＳＢ５）。すなわち案内制御部５１は、入力部１０を介して入力された読みが正しい読みか否か、及び、誤った読みである場合にはその誤り度合に対応する適用範囲情報を案内設定ＤＢ６２から取得し、当該取得した適用範囲情報に基づき、案内設定の適用範囲の大きさを特定する。
【００４３】
例えば入力部１０を介して入力された読みが「せんそうじ」であった場合、図２の例では、当該読みは正しい読みであるとＳＢ４で案内制御部５１が特定するので、当該特定結果に対応する適用範囲情報に基づき、案内制御部５１は、案内設定の適用範囲の大きさは「適用なし」であると特定する。すなわち案内制御部５１は、入力部１０を介して入力された読みが正確な読みであることから、当該読みに対応する地点「浅草寺」及びその周辺地域に関して利用者は十分な水準の知識を有しているものとし、当該知識水準に応じた案内の設定として、当該地点に関する特別な案内を行う必要はない旨（すなわち当該地点に関する特別な案内を適用すべき範囲はない旨）を特定する。
【００４４】
また、入力部１０を介して入力された読みが「せんぞうじ」であった場合、図２の例では、当該読みは誤った読みであり、その誤り度合は「誤り度合１」であるとＳＢ４で案内制御部５１が特定するので、当該特定結果に対応する適用範囲情報に基づき、案内制御部５１は、案内設定の適用範囲の大きさは「地点が属する市区町村」であると特定する。すなわち案内制御部５１は、入力部１０を介して入力された読みが一部誤った読みであることから、当該読みに対応する地点「浅草寺」及びその周辺地域に関して利用者は十分な水準の知識を有していないものとし、当該知識水準に応じた案内の設定として、誤った読み「せんぞうじ」に対応する地点「浅草寺」が属する東京都台東区を当該地点に関する案内設定の適用範囲として特定する。なお、案内制御部５１は、例えば地図情報ＤＢ６１に格納されている地名データに基づき、読みに対応する地点が属する市区町村を特定する。
【００４５】
また、入力部１０を介して入力された読みが「あさくさでら」であった場合、図２の例では、当該読みは誤った読みであり、その誤り度合は「誤り度合２」であるとＳＢ４で案内制御部５１が特定するので、当該特定結果に対応する適用範囲情報に基づき、案内制御部５１は、案内設定の適用範囲の大きさは「地点が属する都道府県」であると特定する。すなわち案内制御部５１は、入力部１０を介して入力された読みが大きく誤った読みであることから、当該読みに対応する地点「浅草寺」及びその周辺地域に関して利用者は「誤り度合１」の場合よりも知識を有していないものとし、当該知識水準に応じた案内の設定として、誤った読み「あさくさでら」に対応する地点「浅草寺」が属する東京都を当該地点に関する案内設定の適用範囲として特定する。
【００４６】
このように、地点の名称の読みの誤り度合が高いほど当該地点及びその周辺地域に関する利用者の知識水準が低いと考えられることから、当該地点に関する案内設定の適用範囲を大きさを大きくし、当該地点及びその周辺地域に関する知識が不足している利用者に対しても十分な案内を提供できるようにしている。
【００４７】
図４に戻り、ＳＢ５の処理の後、案内制御部５１は、ＳＢ４の特定結果に対応する補正情報を案内設定ＤＢ６２から取得し、当該取得した補正情報に基づき、入力部１０を介して入力された読みに対応する地点までの経路案内における当該地点までの予想所要時間の補正の程度を特定する（ＳＢ６）。すなわち案内制御部５１は、入力部１０を介して入力された読みが正しい読みか否か、及び、誤った読みである場合にはその誤り度合に対応する補正情報を案内設定ＤＢ６２から取得し、当該取得した補正情報に基づき、入力部１０を介して入力された読みに対応する地点までの経路案内における当該地点までの予想所要時間の補正の程度を特定する。
【００４８】
例えば入力部１０を介して入力された読みが「せんそうじ」であった場合、図２の例では、当該読みは正しい読みであるとＳＢ４で案内制御部５１が特定するので、当該特定結果に対応する補正情報に基づき、案内制御部５１は、当該読みに対応する地点までの経路案内における当該地点までの予想所要時間の補正の程度は「補正なし」であると特定する。すなわち案内制御部５１は、入力部１０を介して入力された読みが正確な読みであることから、当該読みに対応する地点「浅草寺」及びその周辺地域に関して利用者は十分な水準の知識を有しているものとし、当該地点「浅草寺」までの経路案内における予想所要時間の補正を行う必要はない旨を特定する。
【００４９】
また、入力部１０を介して入力された読みが「せんぞうじ」であった場合、図２の例では、当該読みは誤った読みであり、その誤り度合は「誤り度合１」であるとＳＢ４で案内制御部５１が特定するので、当該特定結果に対応する補正情報に基づき、案内制御部５１は、当該読みに対応する地点までの経路案内における当該地点までの予想所要時間の補正の程度は「通常平均車速−５ｋｍ／ｈ」であると特定する。すなわち案内制御部５１は、入力部１０を介して入力された読みが一部誤った読みであることから、当該読みに対応する地点「浅草寺」及びその周辺地域に関して利用者は十分な水準の知識を有していないものとし、当該知識水準に対応して、地点「浅草寺」までの経路案内における当該地点までの予想所要時間を算出する際に用いる平均車速を通常の平均車速よりも５ｋｍ／ｈ遅くすることにより、予想所要時間を長くする必要があるものと特定する。
【００５０】
また、入力部１０を介して入力された読みが「あさくさでら」であった場合、図２の例では、当該読みは誤った読みであり、その誤り度合は「誤り度合２」であるとＳＢ４で案内制御部５１が特定するので、当該特定結果に対応する補正情報に基づき、案内制御部５１は、当該読みに対応する地点までの経路案内における当該地点までの予想所要時間の補正の程度は「通常平均車速−１０ｋｍ／ｈ」であると特定する。すなわち案内制御部５１は、入力部１０を介して入力された読みが大きく誤った読みであることから、当該読みに対応する地点「浅草寺」及びその周辺地域に関して利用者は「誤り度合１」の場合よりも知識を有していないものとし、当該知識水準に対応して、地点「浅草寺」までの経路案内における当該地点までの予想所要時間を算出する際に用いる平均車速を通常の平均車速よりも１０ｋｍ／ｈ遅くすることにより、予想所要時間を「誤り度合１」の場合よりも更に長くする必要があるものと特定する。
【００５１】
このように、地点の名称の読みの誤り度合が高いほど当該地点及びその周辺地域に関する利用者の知識水準が低いと考えられることから、当該地点までの予想所要時間を長くする方向に補正の程度を大きくし、当該地点及びその周辺地域に関する知識が不足しているために運転が慎重となる利用者に対して適切な予想所要時間を案内できるようにしている。
【００５２】
図４に戻り、ＳＢ６の処理の後、案内制御部５１は、ＳＢ４の特定結果に対応する詳細度情報を案内設定ＤＢ６２から取得し、当該取得した詳細度情報に基づき、入力部１０を介して入力された読みに対応する地点に関する案内に含まれる情報の詳細度を特定する（ＳＢ７）。すなわち案内制御部５１は、入力部１０を介して入力された読みが正しい読みか否か、及び、誤った読みである場合にはその誤り度合に対応する詳細度情報を案内設定ＤＢ６２から取得し、当該取得した詳細度情報に基づき、入力部１０を介して入力された読みに対応する地点に関する案内に含まれる情報の詳細度を特定する。
【００５３】
例えば入力部１０を介して入力された読みが「せんそうじ」であった場合、図２の例では、当該読みは正しい読みであるとＳＢ４で案内制御部５１が特定するので、当該特定結果に対応する詳細度情報に基づき、案内制御部５１は、当該読みに対応する地点に関する案内に含まれる情報の詳細度は「地点案内なし」であると特定する。すなわち案内制御部５１は、入力部１０を介して入力された読みが正確な読みであることから、当該読みに対応する地点「浅草寺」及びその周辺地域に関して利用者は十分な水準の知識を有しているものとし、当該知識水準に応じた案内に含まれる情報の詳細度として、当該地点「浅草寺」に関する特別な案内を行う必要はない旨を特定する。
【００５４】
また、入力部１０を介して入力された読みが「せんぞうじ」であった場合、図２の例では、当該読みは誤った読みであり、その誤り度合は「誤り度合１」であるとＳＢ４で案内制御部５１が特定するので、当該特定結果に対応する詳細度情報に基づき、案内制御部５１は、当該読みに対応する地点に関する案内に含まれる情報の詳細度は「簡易情報案内」であると特定する。すなわち案内制御部５１は、入力部１０を介して入力された読みが一部誤った読みであることから、当該読みに対応する地点「浅草寺」及びその周辺地域に関して利用者は十分な水準の知識を有していないものとし、当該知識水準に対応して、地点「浅草寺」に関する簡易情報を含む案内を行う必要があるものと特定する。
【００５５】
また、入力部１０を介して入力された読みが「あさくさでら」であった場合、図２の例では、当該読みは誤った読みであり、その誤り度合は「誤り度合２」であるとＳＢ４で案内制御部５１が特定するので、当該特定結果に対応する詳細度情報に基づき、案内制御部５１は、当該読みに対応する地点に関する案内に含まれる情報の詳細度は「詳細情報案内」であると特定する。すなわち案内制御部５１は、入力部１０を介して入力された読みが大きく誤った読みであることから、当該読みに対応する地点「浅草寺」及びその周辺地域に関して利用者は「誤り度合１」の場合よりも知識を有していないものとし、当該知識水準に対応して、地点「浅草寺」に関する詳細情報を含む案内を行う必要があるものと特定する。このように、地点の名称の読みの誤り度合が高いほど当該地点及びその周辺地域に関する利用者の知識水準が低いと考えられることから、当該地点に関する案内に含まれる情報の詳細度を高くし、当該地点及びその周辺地域に関する知識が不足している利用者に対しても十分な案内を提供できるようにしている。
【００５６】
図４に戻り、ＳＢ７の処理の後、案内制御部５１は入力部１０を介して入力された読みに対応する地点について、ＳＢ７で特定した詳細度の情報を地図情報ＤＢ６１から取得し、当該情報を含む案内をディスプレイ３０やスピーカ４０から出力させる（ＳＢ８）。図５は案内を表示するディスプレイ３０を例示した図であり、図５（ａ）は入力部１０を介して入力された読みに対応する地点に関する案内を行わない場合を示した図、図５（ｂ）は入力部１０を介して入力された読みに対応する地点に関する簡易情報を含む案内を行う場合を示した図、図５（ｃ）は入力部１０を介して入力された読みに対応する地点に関する詳細情報を含む案内を行う場合を示した図である。
【００５７】
例えばＳＢ７で、入力部１０を介して入力された読みに対応する地点に関する案内に含まれる情報の詳細度は「地点案内なし」であると特定された場合、図５（ａ）に示すように、案内制御部５１は当該地点に関する案内をディスプレイ３０やスピーカ４０から特に出力させず、単に当該地点を中心とする地図をディスプレイ３０に表示させる。
【００５８】
また、ＳＢ７で、入力部１０を介して入力された読みに対応する地点に関する案内に含まれる情報の詳細度は「簡易情報案内」であると特定された場合、図５（ｂ）に示すように、案内制御部５１は、当該地点の名称の正しい読みを案内すると共に、当該地点に関する簡易情報を含む案内３１（図５（ｂ）では、地点の名称、所在地、及び電話番号を含む案内）をディスプレイ３０に表示させる。
【００５９】
また、ＳＢ７で、入力部１０を介して入力された読みに対応する地点に関する案内に含まれる情報の詳細度は「詳細情報案内」であると特定された場合、図５（ｃ）に示すように、案内制御部５１は、当該地点の名称の正しい読みを案内すると共に、当該地点に関する詳細情報を含む案内３２（図５（ｃ）では、地点の写真や観光情報を含む案内）をディスプレイ３０に表示させる。
【００６０】
また、案内制御部５１が、入力部１０を介して入力された読みに対応する地点に関する簡易情報又は詳細情報をディスプレイ３０に表示させる際に、当該地点に関する更に詳細な情報（例えば観光案内アプリ等）をネットワークを介してダウンロードするか否かの選択画面を併せてディスプレイ３０に表示させるようにしてもよい。また、入力部１０を介して入力された読みに対応する地点の周辺に存在する推奨施設についての案内（例えば推奨施設のアイコンを点滅させる等）をディスプレイ３０に表示させるようにしてもよい。
【００６１】
図４に戻り、ＳＢ８の処理の後、案内制御部５１は入力部１０を介して入力された読みに対応する地点が目的地として設定されたか否かを判定する（ＳＢ９）。例えば案内制御部５１は、ＳＢ４の特定結果に基づき入力部１０を介して入力された読みに対応する地点を特定し、当該地点を目的地として設定すべき旨の指示入力が入力部１０を介して入力された場合に、当該地点が目的地として設定されたと判定する。
【００６２】
その結果、入力部１０を介して入力された読みに対応する地点が目的地として設定されなかった場合（ＳＢ９、Ｎｏ）、案内制御部５１はＳＢ１に戻り、入力部１０により新たに地点の名称の読みの入力が受け付けられるまで待機する（ＳＢ１、Ｎｏ）。
【００６３】
一方、入力部１０を介して入力された読みに対応する地点が目的地として設定された場合（ＳＢ９、Ｙｅｓ）、案内制御部５１は、目的地として設定された地点までの走行経路を探索する（ＳＢ１０）。案内制御部５１は、例えばダイクストラ法等の公知の経路探索手法を用いて走行経路を探索する。
【００６４】
続いて案内制御部５１は、ＳＢ５からＳＢ７の各処理で特定された設定に基づき、ディスプレイ３０やスピーカ４０により走行経路の案内を出力させる（ＳＢ１１）。例えば案内制御部５１は、当該案内制御部５１がＳＢ１０で探索した走行経路を地図上に重畳するようにディスプレイ３０に表示させると共に、その走行経路を車両が走行した場合における目的地までの予想所要時間を算出し、当該予想所要時間をディスプレイ３０に表示させる。図６は案内を表示するディスプレイを例示した図であり、図６（ａ）は通常の平均車速に基づき算出した予想所要時間を案内する場合を示した図、図６（ｂ）は予想所要時間を長くする方向に補正して案内する場合を示した図、図６（ｃ）は予想所要時間を図６（ｂ）の場合よりも更に長くする方向に補正して案内する場合を示した図である。この予想所要時間の算出に際して、案内制御部５１は、当該案内制御部５１がＳＢ５で特定した適用範囲内の走行経路における予想所要時間について、当該案内制御部５１がＳＢ６で特定した程度の補正を行う。
【００６５】
例えば入力部１０を介して入力された読みが正しい読み「せんそうじ」であった場合、図２によれば、案内制御部５１は案内設定の適用範囲の大きさが「適用なし」であるとＳＢ５で特定する。従って、案内制御部５１がＳＢ１０で探索した走行経路の全区間について、案内制御部５１は補正を行うことなく通常の平均車速に基づき予想所要時間を算出することにより、「浅草寺」までの予想所要時間を算出し、図６（ａ）に示すように、当該予想所要時間（図６（ａ）では「１：３０」）を含む案内３３ａをディスプレイ３０に表示させる。
【００６６】
また、入力部１０を介して入力された読みが「せんぞうじ」であった場合、図２によれば、案内制御部５１は誤った読み「せんぞうじ」に対応する地点「浅草寺」が属する東京都台東区が当該地点に関する案内設定の適用範囲であるとＳＢ５で特定する。また、案内制御部５１は誤った読み「せんぞうじ」に対応する地点「浅草寺」までの経路案内における当該地点までの予想所要時間の補正の程度は「通常平均車速−５ｋｍ／ｈ」であるとＳＢ６で特定する。従って案内制御部５１は、東京都台東区外の走行経路については通常の平均車速に基づき走行所要時間を算出すると共に、東京都台東区内の走行経路については通常平均車速−５ｋｍ／ｈに補正した平均車速に基づき予想所要時間を算出することにより、「浅草寺」までの予想所要時間を算出し、図６（ｂ）に示すように、当該地点「浅草寺」の名称の正しい読み「せんそうじ」及び予想所要時間（図６（ｂ）では「２時間１５分」）を含む案内３３ｂをディスプレイ３０に表示させる。
【００６７】
また、入力部１０を介して入力された読みが「あさくさでら」であった場合、上述の「せんぞうじ」よりも誤り度合が高く、浅草寺及びその周辺地域に関する利用者の知識の水準が低いと考えられることから、案内設定の適用範囲を「せんぞうじ」の場合よりも更に大きくする。すなわち、図２によれば、案内制御部５１は誤った読み「あさくさでら」に対応する地点「浅草寺」が属する東京都が当該地点に関する案内設定の適用範囲であるとＳＢ５で特定する。また、案内制御部５１は誤った読み「あさくさでら」に対応する地点「浅草寺」までの経路案内における当該地点までの予想所要時間の補正の程度は「通常平均車速−１０ｋｍ／ｈ」であるとＳＢ６で特定する。従って案内制御部５１は、東京都外の走行経路については通常の平均車速に基づき走行所要時間を算出すると共に、東京都内の走行経路については通常平均車速−１０ｋｍ／ｈに補正した平均車速に基づき予想所要時間を算出することにより、「浅草寺」までの予想所要時間を算出し、図６（ｃ）に示すように、当該地点「浅草寺」の名称の正しい読み「せんそうじ」及び予想所要時間（図６（ｃ）では「２時間４５分」）を含む案内３３ｃをディスプレイ３０に表示させる。さらに、当該地点及びその周辺地域に関する知識水準が特に低いと考えられる利用者向けの情報を案内３３ｃに付加してもよい（図６（ｃ）では「気を付けて運転してください。」）。
【００６８】
また、案内制御部５１が走行経路の案内をディスプレイ３０やスピーカ４０から出力させている場合において、案内制御部５１がＳＢ５で特定した適用範囲内の地点の名称が入力部１０を介して入力された場合には、案内制御部５１は、当該入力された名称の地点について、ＳＢ７で特定した詳細度の情報を地図情報ＤＢ６１から取得し、当該情報を含む案内をディスプレイ３０やスピーカ４０から出力させる。
【００６９】
例えば、入力部１０を介して入力された読みが「せんそうじ」であった場合、図２によれば、案内制御部５１は案内設定の適用範囲の大きさが「適用なし」であるとＳＢ５で特定する。従って案内制御部５１は、入力部１０を介して入力された任意の地点に関する案内をディスプレイ３０やスピーカ４０から特に出力させず、例えば単に当該地点を中心とする地図をディスプレイ３０に表示させる。
【００７０】
また、ＳＢ１で入力部１０を介して入力された読みが「せんぞうじ」であった場合、図２によれば、案内制御部５１は誤った読み「せんぞうじ」に対応する地点「浅草寺」が属する東京都台東区が当該地点に関する案内設定の適用範囲であるとＳＢ５で特定する。また、案内制御部５１は誤った読み「せんぞうじ」に対応する地点「浅草寺」に関する案内に含まれる情報の詳細度は「簡易情報案内」であるとＳＢ７で特定する。従って案内制御部５１は、走行経路の案内中に東京都台東区内の任意の地点の名称（例えば「上野動物園」等）が入力部１０を介して入力された場合には、当該入力された名称の地点に関する簡易情報を含む案内をディスプレイ３０やスピーカ４０から出力させる。
【００７１】
また、ＳＢ１で入力部１０を介して入力された読みが「あさくさでら」であった場合、図２によれば、案内制御部５１は誤った読み「あさくさでら」に対応する地点「浅草寺」が属する東京都が当該地点に関する案内設定の適用範囲であるとＳＢ５で特定する。また、案内制御部５１は誤った読み「あさくさでら」に対応する地点「浅草寺」に関する案内に含まれる情報の詳細度は「詳細情報案内」であるとＳＢ７で特定する。従って案内制御部５１は、東京都内の任意の地点の名称（例えば「東京タワー」等）が入力部１０を介して入力された場合には、当該入力された名称の地点に関する詳細情報を含む案内をディスプレイ３０やスピーカ４０から出力させる。
【００７２】
ＳＢ１１の処理の後、制御部５０は案内制御処理を終了する。
【００７３】
（効果）
このように本実施の形態によれば、案内制御部５１は、入力部１０により受け付けられた読みに対応する案内設定情報を案内設定ＤＢ６２から取得し、当該取得した案内設定情報により特定される設定に基づき、入力部１０により受け付けられた読みに対応する地点に関する案内を行うための制御をするので、利用者によって入力された地点の名称の読みに応じて、その地点に関する利用者の土地勘に応じた適切な案内を行うことができる。
【００７４】
また、案内設定ＤＢ６２は、地点の名称の読みに関する誤り度合と、当該地点及びその周辺地域に関する利用者の知識の水準に応じた設定を特定する案内設定情報とを、誤った読みの誤り度合が高いほど、当該誤った読みに対応する案内設定情報により特定される設定に対応する知識の水準が低くなるように、相互に関連付けて格納するので、入力部１０により受け付けられた読みの誤り度合に応じて、その読みに対応する地点及びその周辺地域に関する利用者の知識の水準に合わせた案内を行うことができる。すなわち、地点の名称の読みの誤り度合が高いほど当該地点及びその周辺地域に関する利用者の知識水準が低いと考えられることから、地点の名称の読みの誤り度合が高い程一層内容の充実した案内を行うことで、当該地点及びその周辺地域に関する利用者の知識水準に応じた十分な内容の案内を行うことができる。
【００７５】
特に、案内設定ＤＢ６２は、地点の名称の読みに関する誤り度合と、案内設定情報により特定される設定の適用範囲の大きさを特定する適用範囲情報とを、誤った読みの誤り度合が高いほど、当該誤った読みに対応する適用範囲情報により特定される適用範囲の大きさが大きくなるように、相互に関連付けて格納するので、入力部１０により受け付けられた読みの誤り度合に応じて、その読みに対応する地点及びその周辺地域に関する利用者の知識の水準に合わせた範囲に案内設定を適用することができる。すなわち、地点の名称の読みの誤り度合が高いほど当該地点及びその周辺地域に関する利用者の知識水準が低いと考えられることから、地点の名称の読みの誤り度合が高い程当該地点に関する案内設定の適用範囲を大きさを大きくすることで、当該地点及びその周辺地域に関す利用者の知識水準に応じた十分な大きさの範囲で案内を行うことができる。
【００７６】
また、案内設定ＤＢ６２は、地点の名称の読みに関する誤り度合と、地点に関する案内に含まれる情報の詳細度を特定する詳細度情報とを、誤った読みの誤り度合が高いほど、当該誤った読みに対応する詳細度情報により特定される詳細度が高くなるように、相互に関連付けて格納するので、入力部１０により受け付けられた読みの誤り度合に応じて、その読みに対応する地点及びその周辺地域に関する利用者の知識の水準に合わせた詳細度の情報を含む案内を行うことができる。すなわち、地点の名称の読みの誤り度合が高いほど当該地点及びその周辺地域に関する利用者の知識水準が低いと考えられることから、地点の名称の読みの誤り度合が高い程当該地点に関する案内に含まれる情報の詳細度を高くすることで、当該地点及びその周辺地域に関する利用者の知識水準に応じた十分な詳細度の案内を行うことができる。
【００７７】
また、案内設定ＤＢ６２は、地点の名称の読みに関する誤り度合と、当該地点までの経路案内における当該地点までの予想所要時間の複数の補正の程度を特定する補正情報とを、誤った読みの誤り度合が高いほど、当該誤った読みに対応する補正情報により特定される補正の程度が予想所要時間を長くする方向に大きくなるように、相互に関連付けて格納するので、入力部１０により受け付けられた読みの誤り度合に応じて、その読みに対応する地点及びその周辺地域に関する利用者の知識の水準に合わせた程度の補正を行うことができる。すなわち、地点の名称の読みの誤り度合が高いほど当該地点及びその周辺地域に関する利用者の知識水準が低いと考えられることから、地点の名称の読みの誤り度合が高い程当該地点までの予想所要時間を長くする方向に補正の程度を大きくすることで、当該地点及びその周辺地域に関する知識が不足しているために運転が慎重となる利用者に対しても、その利用者の知識水準に応じた適切な予想所要時間を案内することができる。
【００７８】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００８０】
（案内制御処理について）
上述の実施の形態では、図４のＳＢ１１で、ＳＢ５からＳＢ７の各処理で特定された設定に基づき、案内制御部５１がディスプレイ３０やスピーカ４０により走行経路の案内を出力させる際、案内制御部５１は、当該案内制御部５１がＳＢ５で特定した適用範囲内の走行経路における予想所要時間について、当該案内制御部５１がＳＢ６で特定した程度の補正を行った上で目的地までの予想所要時間を算出し、当該予想所要時間をディスプレイ３０に表示させると説明したが、これと共に、あるいはこれに代えて、他の案内をディスプレイ３０やスピーカ４０により出力させるようにしてもよい。例えば、案内制御部５１が、当該案内制御部５１が算出した予想所要時間に基づき目的地への到着予想時刻を算出し、当該算出した到着予想時刻をディスプレイ３０やスピーカ４０により出力させるようにしてもよい。また、ＳＢ１で入力部１０を介して入力された読みが誤った読みであった場合、案内制御部５１がＳＢ５で特定した適用範囲内の走行経路においては、追い越し車線を走行経路として案内しないようにしてもよい。また、ＳＢ１で入力部１０を介して入力された読みが誤った読みであった場合、案内制御部５１がネットワークを介して目的地の気象情報を取得し、当該取得した気象情報に基づく注意喚起（例えば目的地において降雪の可能性がある場合、スタッドレスタイヤの装着やチェーンの装備を確認するメッセージ等）をディスプレイ３０やスピーカ４０により出力させるようにしてもよい。これにより、目的地及びその周辺地域に関する知識が不足している利用者に対して、さらに充実した案内を行うことができる。
【００８１】
また、ＳＢ１で入力部１０を介して入力された読みが誤った読みであった場合において、図４のＳＢ１１で案内制御部５１がディスプレイ３０やスピーカ４０により走行経路の案内を出力させる際、当該走行経路の目的地から更に他の地点に向かう走行経路の候補を案内制御部５１が予め探索しておき、車両が目的地に到着した際に当該探索した走行経路の候補を案内するようにしてもよい。これにより、目的地及びその周辺地域に関する知識が不足している利用者に対して、目的地到着後の行動の参考となる案内を行うことができる。
【００８２】
また、図４の案内制御処理におけるＳＢ５の処理を省略してもよい。この場合、例えば、案内設定ＤＢ６２に格納されている案内設定情報により特定される設定の適用範囲として一定の範囲（例えば地点が属する市区町村等）を予め定めておき、入力部１０を介して入力された読みが誤った読みであった場合には、その読みの誤り度合に関わらず、案内制御部５１が案内設定情報により特定される設定を当該一定の範囲に適用するようにしてもよい。
【００８３】
また、図４の案内制御処理におけるＳＢ６又は７の処理を省略してもよい。すなわち例えば、ＳＢ６における、入力部１０を介して入力された読みに対応する地点までの経路案内における当該地点までの予想所要時間の補正の程度の特定を省略してもよい。この場合、例えば、予想所要時間の補正の程度として一定の程度（例えば「通常平均車速−７ｋｍ／ｈ」）を予め定めておき、入力部１０を介して入力された読みが誤った読みであった場合には、その読みの誤り度合に関わらず、案内制御部５１がその読みに対応する地点までの予想所要時間を当該一定の程度で補正するようにしてもよい。あるいは、ＳＢ７における、入力部１０を介して入力された読みに対応する地点に関する案内に含まれる情報の詳細度の特定を省略してもよい。この場合、例えば、情報の詳細度として一定の程度（例えば簡易情報案内）を予め定めておき、入力部１０を介して入力された読みが誤った読みであった場合には、その読みの誤り度合に関わらず、案内制御部５１がその読みに対応する地点に関する簡易情報を含む案内をディスプレイ３０やスピーカ４０により出力させるようにしてもよい。
【符号の説明】
【００８４】
１  ナビゲーション装置
１０  入力部
２０  現在位置検出処理部
３０  ディスプレイ
３１  簡易情報を含む案内
３２  詳細情報を含む案内
３３ａ、３３ｂ、３３ｃ  予想所要時間を含む案内
４０  スピーカ
５０  制御部
５１  案内制御部
６０  データ記録部
６１  地図情報ＤＢ
６２  案内設定ＤＢ
【図１】
2012122853.tif 000003
【図２】
2012122853.tif 000004
【図３】
2012122853.tif 000005
【図４】
2012122853.tif 000006
【図５】
2012122853.tif 000007
【図６】
2012122853.tif 000008